(57)【特許請求の範囲】
【請求項１】
３種類の熱交換流体（ｘ，ｙ，ｚ）のための溝を区画するプレスパターンを具備した少なくとも１０枚のスタック状のプレート（３１−４０）を備え、溝を区画するスタック状プレート（３１−４０）の少なくとも６枚（３１−３６）には６個の穴が形成され、溝を区画したすべてのプレート（３１−４０）は等しい外形寸法のプレートであり、穴はすべてのプレート（３１−３６）内の同一の位置に設けられ、６個の穴を有する溝区画プレート（３１−３６）は穴と隣接するリング状接触領域（２０）及びその外周部でろう付け、半田付け、溶接若しくは接着する手段により連通され、６個の穴の内の４個の、隣接するプレート（３１−３６）のリング状接触領域（２０）が実質的に同一の外形及び内形を持ち、６個の穴の内の２個の、隣接するプレートのリング状接触領域（２０）はプレートの残りの４個の穴の周囲のリング状接触領域を含む平面から距離Ｈ離間して変位され、距離Ｈは、リング状接触領域以外のプレート内の溝の最大変位距離ｈの約２倍であることを特徴とする３回路プレート熱交換器。
【請求項２】
４個の穴と隣接するプレート（３１−３６）のリング状接触領域（２０）が実質的に円形の内側及び外側の境界部により区画されることを特徴とする請求項１記載の３回路プレート熱交換器。
【請求項３】
溝を区画するプレート（３１−３６）が真空ろう付けで連通されることを特徴とする請求項１または２記載の３回路プレート熱交換器。
【請求項４】
溝を区画するプレート（３１−３６）がろう付けにより制御される雰囲気内で連通されることを特徴とする請求項１または２記載の３回路プレート熱交換器。
【発明の詳細な説明】
【０００１】
（技術分野）
この発明は３回路プレート熱交換器に関する。
【０００２】
（背景技術）
３回路を有する熱交換器は単一の流体流を持ち、２個の分離した流体流で熱交換を行うことが望ましい形態に使用される。２個の分離した冷却剤の流れを蒸発させるか、凝縮させるために例えば、水流を使用可能である。
【０００３】
プレート熱交換器は容積、重量及び製造コストが小さく、熱交換媒体の３回路を有する熱交換に広く使用され得る。プレートは３媒体流用のほぼ平行な溝を区画しており、溶接若しくは接着も可能であるが、ろう付あるいは半田付けにより好ましくは真空ろう付により全体が密封され連結される。
【０００４】
現在使用されている３回路プレート熱交換器の公知例がＷＯ９５／３５４７４及びＷＯ９７／０８５０６に開示されている。この公知例の目的は使用信頼性が高いプレート熱交換器を構成すること、即ち熱交換媒体の溝密封が熱交換器の使用中完全に維持され、且つ製造コストを低く維持可能にすることである。
【０００５】
ＷＯ９５／３５４７４に開示の構成は３種の熱交換媒体を流すための溝を区画するプレートには３対の穴状のポートが設けられ、このポートを介し３種の流体のそれぞれの導入部及び導出部が熱交換器のプレート間の溝と連通されるよう構成された連通熱交換器である。３種の導入流体の内１種の流体のみが溝内に流れることを防止し、他の２種の流体のみの通過を可能にするため、溝はポート穴でリング状面積部でろう付けにより隣接するプレートを連結することにより、各流れのポートで阻止される。ＷＯ９５／３５４７４の構成によれば、ろう付けは実質的に異るサイズを有するポート穴の周囲のリング状面積部で行われる。これによりろう付け作業中問題が生じる。またこの場合プレートの有効面積が減少する点に問題がある。
【０００６】
ＷＯ９７１０８５０６に開示の構成にはあるプレート間にリング状のスペーサを用いて実際のポート穴から流体が溝に導入することを阻止し、各ポート穴でのリング状密封面積部におけるすべてのろう付けが実質的に同一の内径及び外径で確実に実行可能にする方法が示される。一方この解決法はスペーサの重量が過剰となり、高価となる上、重量も重くなる。
【０００７】
（発明の開示）
本発明は３種類の熱交換流体に対する溝を区画するプレスパターンが具備された少なくとも１０枚のスタックプレートを備え、溝を区画するスタックプレートの少なくとも６枚には６個の穴が具備され、すべての溝区画プレートは等しい外寸を持ち、穴はすべてのプレート内において同一の位置に設けられ、６個の穴を有する溝区画プレートは穴と隣接するリング状接触領域及びその外周部においてろう付け、半田付け、溶接あるいは接着する手段により連結される３回路プレート熱交換器に関する。
【０００８】
本発明の目的は信頼性の高い連通構成及び製造コストの低下を得ることが可能なプレート熱交換器を提供することにある。
【０００９】
本発明によれば、これは６個の穴の内の４個の、隣接するプレートのリング状領域部が実質的に等しい外形及び内径を持ち、２個の穴を有する隣接プレートと接触可能な領域はプレートの残りの４個の穴の周囲の接触領域を含むプレートから残りの最大変位距離の約２倍の距離だけ離間させて配置することにより実現される。
【００１０】
以下に本発明を添付図面に沿い詳述する。
【００１１】
（発明を実施するための最良の形態）
図１に示す３回路プレート熱交換器は正面カバープレート１を有し、正面カバープレート１には熱交換器を通過し熱交換を行う３種類の流体媒体用の６個の導入及び導出開口部２〜７が具備されている。第１の流体例えば冷却水はＸで示され、導入開口部２を経て熱交換器に導入され、導出開口部３から熱交換器から送出される。冷却対象の流体の２流の一方はＹで示され、導入開口部４を経て熱交換器に導入され、導出開口部５を経て熱交換器から送出される。冷却対象の流体の２流の残りはＺで示され、導入開口部６を経て熱交換器に導入され導出開口部７を経て熱交換器から送出される。正面カバープレート１には熱交換流体を循環させるシステム（図示せず）と連結させる６個の管状取付具８〜１３が支承される。従って２種の流体Ｙ及びＺが流体Ｘに対し対流して熱交換器を通過する。
【００１２】
図２は図１の線ＩＩ−ＩＩに沿っての断面図であり、ＷＯ９．５／３５４７４に示す公知の３回路プレート熱交換器に使用されする形成溝の原理及び溝形成プレートをろう付けする原理を示す。この場合流体Ｘは導入開口部２から背部カバープレート１４の方向へ背部カバープレート１４を除く熱交換器のすべてのプレートの穴１５を通って熱交換器に導入される。熱交換器は１０枚のプレートを有し、プレートにはヘリンボン形パターン及び周部において下方へ延びるカラー１６が形成される。これらの１０枚のプレートは１７〜２６で示され、２種類からなる。第１の種類のプレートは奇数番号のものであり、他の種類のプレートは偶数番号が付される。
【００１３】
プレート１７〜２６は３種類の流体の溝を区画し、２枚対をなして配置される。１対はプレート１８、１９により形成される。またプレート１８、１９の次のプレート２０、２１の対は基本的にはプレート１８、１９と同じであるが、隣接する対に対し平面が１８０度旋回された形態で設けられている。すべてのプレートの外形は同様であり、６個の導入開口及び導出開口部を持つ構成も同じである。流体Ｘがプレート間に導入されることを防止するため、導出開口部５で互いに係合するプレート２０、２１の穴の周囲のリング状プレート領域が径Ｄ１より大きく、径Ｄ２より小さな直径で共にろう付けされる必要があることは図２から明らかであろう。プレート１９、２０は径Ｄ３と径Ｄ４との間の直径を有するリング状領域で共にろう付けする要がある。径Ｄ１、Ｄ２、Ｄ３、Ｄ４は次第に大きくなるように設定しているので、４個の導入開口部４〜７における開口部の穴を具備するプレートのろう付けは管状取付具の方向に、即ちプレートの全体平面に対し垂直な方向に互いに重ならない位置で実行する要がある。この構成をとらない場合信頼性高い方法で必要なろう付け作業を行うことが困難である。またプレートの最大有効面積が得られない。
【００１４】
更に詳述すれば上述の問題は図３に示すＷ０９７／０８５０６の原理的構成により解決される。即ち導出開口部５、７近傍における溝形成プレートのろう付けは等しい直径のスペーサリング２７を介し実行される。ただこの構成は重量及び製造コストの上昇を伴う問題がある。
【００１５】
図４及び図５は本発明による熱交換器の、図１の線ＩＩ−ＩＩ位置に沿った断面図を示す。溝を区画する１０枚のプレートは３１〜４０で示される。本実施形態では、プレート３１〜４０のリング状領域が互いに密着接触され得、導出開口部５、７に隣接して配置され、実質的に等しい外径及び内径を有している。プレート領域、例えば図５のプレート３６の径Ｄ１及びＤ２で制限されるリング状領域２０は穴５において、隣接するプレート３７と接触可能であり、プレートの残りの４個の穴の周囲における接触領域を含むプレートから距離Ｈ、離間して変位され、距離Ｈは残りの距離ｈの２倍でありプレートの溝が大きく変位される。図４の一部の拡大図が図５に示される。
【００１６】
図６は図４の４枚のプレート３２、３３、３４、３５を互いに離間させて斜視図で示す。すべてのプレートに存在し周部に延びるカラー１６は中央のポート穴２、３を囲む部分５０に対し下方に延びる。プレート３２においてヘリボンパターンは図５の距離ｈに亙り上方に延びている。ポート穴４、５を囲む領域２０はヘリボンパターンとして同一の方向（上方）へ距離Ｈ（＝２ｘｈ）変位されている。スタックの次のプレート３３もヘリボンパターンに形成される。一方プレート３３ではパターンは距離ｈだけ下方に延長され、ポート穴４、５を囲むプレート領域２０は距離Ｈ下方に変位される。プレート３２、３３が互いに接触するよう置かれると、２個の、隣接する領域２０間の距離は２ｘＨであり、一方残りのポート穴を囲むプレート領域５０は互いに接触する。ヘリボンパターンの押し付け形態により区画される溝の幅は２ｘｈである。スタックのプレート３（プレート３４）には距離ｈ、領域５０に対し上方に延長されるヘリボンパターンに形成される。ポート穴４、５の周囲のプレート３４のプレート領域は変位されていないが、ポート穴６、７の周囲のプレート領域２０がヘリボンパターンと同一の方向、即ち上方へ距離Ｈ、変位される。従ってプレート３３、３４におけるポート穴４、５の周囲のプレート領域が互いに接触し、ポート穴７、８の周囲におけるプレート３４の変位された領域２０はプレート３３の対応する穴の周囲における非変位のプレート領域と接触される。最期にスタックのプレート３５はポート穴２、３、４、５の周囲におけるプレート領域５０に対し距離ｈ、下方に変位されたヘリボンパターンを有する。ポート穴６、７の周囲のプレート領域２０は距離Ｈ、下方に変位される。図５ではプレートにより区画される溝が流体の種類によりＸ、Ｙ、Ｚの符号が付されている。
【００１７】
図６には示していないが、スタックのプレート３６はプレート３２と同一の形状を有し、新たな一連のプレートを開始する。
【００１８】
図４及び図５からポート４〜７に位置するプレートにおけるポート穴のサイズは僅かに異ることは明らかであろう。これは熱交換器プレートを製造する旧知の方法であることによる。プレートは先ず穴が一様な直径を有した所望のサイズにスタンプ処理される。次にプレートは１あるいはそれ以上のプレス作業を受ける。プレス作業中にプレスが強く変形されればされるほど穴が大きくなる。従って距離Ｈ、変位される領域近傍の穴が変位されないか、あるいは距離ｈ、変位された領域の近傍の穴より大にされる。
【００１９】
上述した実施形態では、リング状の接触領域２０が径Ｄ１、Ｄ２を有する円形境界部により実質的に区画されるものとしたが、溝を区画するプレート３１〜３７の穴は円形でなくともよい。穴の形状は例えば楕円あるいは多角形にできる。また穴のサイズ、形状及び位置は実質的に同一にする。
【図面の簡単な説明】
【図１】  図１は３回路プレート熱交換器の全体の斜視図である。
【図２】  図２はＷＯ９５／３５４７４に開示された公知の熱交換器の図１の線ＩＩ−ＩＩに沿って切断した断面図である。
【図３】  図３はＷＯ９７／０８５０６に開示された公知の熱交換器の図１の線ＩＩ−ＩＩに沿って切断した断面図である。
【図４】  図４は本発明による熱交換器の図１の線ＩＩ−ＩＩに沿って切断したもと同様の断面図である。
【図５】  図５は図４の部分拡大図である。
【図６】  図６は図４及び図５の熱交換器の４枚のプレートの斜視図である。
【図１】
0004267823.tif 000002
【図２】
0004267823.tif 000003
【図３】
0004267823.tif 000004
【図４】
0004267823.tif 000005
【図５】
0004267823.tif 000006
【図６】
0004267823.tif 000007